(57)【要約】【課題】利用者の煩わしさを低減する表示装置の制御方法、および表示装置を提供すること。【解決手段】本発明の表示装置の制御方法は、入力インターフェースに画像情報が入力済みであるか否かの入力判定を実行し、前記入力判定の結果に応じて、前記画像情報が入力済みであることを示す入力画像、および前記画像情報が入力済みで無いことを示す未入力画像とのうちの一方を含む入力状態画像を前記表示部に表示させ、前記入力画像を指定する操作を受け付ける場合、前記画像情報に基づく表示画像を前記表示部に表示させ、前記未入力画像を指定する操作を受け付ける場合、前記入力インターフェースへの前記画像情報の入力の手順を示す手順画像を前記表示部に表示させる。【選択図】図１
2020201372.tif 000002
【特許請求の範囲】
【請求項１】
画像情報が入力される入力インターフェース、および画像を表示する表示部を備える表示装置の制御方法であって、
前記入力インターフェースに前記画像情報が入力済みであるか否かの入力判定を実行し、
前記入力判定の結果に応じて、前記画像情報が入力済みであることを示す入力画像、および前記画像情報が入力済みで無いことを示す未入力画像とのうちの一方を含む入力状態画像を前記表示部に表示させ、
前記入力画像を含む前記入力状態画像が表示された状態で前記入力画像を指定する操作を受け付ける場合、前記画像情報に基づく表示画像を前記表示部に表示させ、
前記未入力画像を含む前記入力状態画像が表示された状態で前記未入力画像を指定する操作を受け付ける場合、前記入力インターフェースへの前記画像情報の入力の手順を示す手順画像を前記表示部に表示させることを特徴とする表示装置の制御方法。
【請求項２】
前記手順画像の表示中に、前記入力インターフェースに前記画像情報が入力されると、前記手順画像の表示を停止し、前記表示画像を前記表示部に表示させる請求項１に記載の表示装置の制御方法。
【請求項３】
前記手順画像の表示中に、前記入力インターフェースに前記画像情報が入力されると、前記画像情報が入力済みであることを示す報告画像を前記表示部に表示させる請求項１に記載の表示装置の制御方法。
【請求項４】
前記入力画像は、前記表示画像を縮小して表示されるサムネイル画像である請求項１ないし３のいずれか１項に記載の表示装置の制御方法。
【請求項５】
第１画像情報が入力される第１入力インターフェース、第２画像情報が入力される第２入力インターフェース、および画像を表示する表示部を備える表示装置の制御方法であって、
前記第１入力インターフェースに前記第１画像情報が入力済みであるか否かを判定する第１入力判定、および前記第２入力インターフェースに前記第２画像情報が入力済みであるか否かを判定する第２入力判定を実行し、
前記第１入力判定、および前記第２入力判定の結果に応じて、前記第１画像情報が入力済みであることを示す第１入力画像、および前記第１画像情報が入力済みで無いことを示す第１未入力画像のうちの一方と、前記第２画像情報が入力済みであることを示す第２入力画像、および前記第２画像情報が入力済みで無いことを示す第２未入力画像のうちの一方と、を含む入力状態画像を前記表示部に表示させ、
前記第１入力画像、および前記第２入力画像のうちの一方を指定する操作を受け付ける場合、受け付ける操作に応じて、前記第１画像情報に基づく第１表示画像、および前記第２画像情報の表示に基づく第２表示画像のうちの一方を前記表示部に表示させ、
前記第１未入力画像、および前記第２未入力画像のうちの一方を指定する操作を受け付ける場合、受け付ける操作に応じて、前記第１入力インターフェースへの前記第１画像情報の入力の手順を示す第１手順画像、および前記第２入力インターフェースへの前記第２画像情報の入力の手順を示す第２手順画像のうちの一方を前記表示部に表示させることを特徴とする表示装置の制御方法。
【請求項６】
画像を表示する表示部と、
画像情報が入力される入力インターフェースと、
前記入力インターフェースに前記画像情報が入力済みであるか否かの入力判定を実行する入力判定部と、
前記入力判定の結果に応じて、前記画像情報が入力済みであることを示す入力画像、および前記画像情報が入力済みで無いことを示す未入力画像のうちの一方を含む入力状態画像を前記表示部に表示させる表示制御部と、を備え、
前記表示制御部は、
前記入力画像を受け付ける場合、前記画像情報に基づく表示画像を前記表示部に表示させ、
前記未入力画像を指定する操作を受け付ける場合、前記入力インターフェースへの前記画像情報の入力の手順を示す手順画像を前記表示部に表示させることを特徴とする表示装置。
【発明の詳細な説明】
【技術分野】
【０００１】
本発明は、表示装置の制御方法、および表示装置に関する。
【背景技術】
【０００２】
プロジェクター等の表示装置は、一般的に、ケーブルを介して外部機器から画像情報が入力される入力端子を含む入力インターフェースを備える。特許文献１に記載の表示装置は、起動操作が行われると、デフォルト設定の入力端子に外部機器から画像情報が入力されているか否かを判定する。画像情報が入力されていると判定した場合、当該表示装置は、入力された画像情報に応じた画像を投射する。一方、デフォルト設定の入力端子に画像情報が入力されていないと判定した場合、当該表示装置は、入力端子へのケーブルの接続を促す確認画像を投射する。当該確認画像には、入力端子に対してケーブルが正しく接続されているかを利用者に確認させるよう、例えば、表示装置における入力端子近傍の画像、および入力端子へ接続されるべきケーブルの端子形状を示すアニメーション画像が含まれる。
【先行技術文献】
【特許文献】
【０００３】
【特許文献１】特開２０１１−１２８２５７号公報
【発明の概要】
【発明が解決しようとする課題】
【０００４】
特許文献１に記載の表示装置では、デフォルト設定の入力端子に画像情報が入力されていない場合、起動する度に確認画像が投射される。起動する度に確認画像が投射されることは、表示装置の操作に慣れている利用者にとって、煩わしいという問題がある。
【課題を解決するための手段】
【０００５】
本発明の一態様の表示装置の制御方法は、画像情報が入力される入力インターフェース、および画像を表示する表示部を備える表示装置の制御方法であって、前記入力インターフェースに前記画像情報が入力済みであるか否かの入力判定を実行し、前記入力判定の結果に応じて、前記画像情報が入力済みであることを示す入力画像、および前記画像情報が入力済みで無いことを示す未入力画像とのうちの一方を含む入力状態画像を前記表示部に表示させ、前記入力画像を含む前記入力状態画像が表示された状態で前記入力画像を指定する操作を受け付ける場合、前記画像情報に基づく表示画像を前記表示部し表示させ、前記未入力画像を含む前記入力状態画像が表示された状態で前記未入力画像を指定する操作を受け付ける場合、前記入力インターフェースへの前記画像情報の入力の手順を示す手順画像を前記表示部に表示させる。
【０００６】
本発明の一態様の表示装置の制御方法は、第１画像情報が入力される第１入力インターフェース、第２画像情報が入力される第２入力インターフェース、および画像を表示する表示部を備える表示装置の制御方法であって、前記第１入力インターフェースに前記第１画像情報が入力済みであるか否かを判定する第１入力判定、および前記第２入力インターフェースに前記第２画像情報が入力済みであるか否かを判定する第２入力判定を実行し、前記第１入力判定、および前記第２入力判定の結果に応じて、前記第１画像情報が入力済みであることを示す第１入力画像、および前記第１画像情報が入力済みで無いことを示す第１未入力画像のうちの一方と、前記第２画像情報が入力済みであることを示す第２入力画像、および前記第２画像情報が入力済みで無いことを示す第２未入力画像のうちの一方と、を含む入力状態画像を前記表示部に表示させ、前記第１入力画像、および前記第２入力画像のうちの一方を指定する操作を受け付ける場合、受け付ける操作に応じて、前記第１画像情報に基づく第１表示画像、および前記第２画像情報の表示に基づく第２表示画像のうちの一方を前記表示部に表示させ、前記第１未入力画像、および前記第２未入力画像のうちの一方を指定する操作を受け付ける場合、受け付ける操作に応じて、前記第１入力インターフェースへの前記第１画像情報の入力の手順を示す第１手順画像、および前記第２入力インターフェースへの前記第２画像情報の入力の手順を示す第２手順画像のうちの一方を前記表示部に表示させる。
【０００７】
本発明の一態様の表示装置は、画像を表示する表示部と、画像情報が入力される入力インターフェースと、前記入力インターフェースに前記画像情報が入力済みであるか否かの入力判定を実行する入力判定部と、前記入力判定の結果に応じて、前記画像情報が入力済みであることを示す入力画像、および前記画像情報が入力済みで無いことを示す未入力画像のうちの一方を含む入力状態画像を前記表示部に表示させる表示制御部と、を備え、前記表示制御部は、前記入力画像を受け付ける場合、前記画像情報に基づく表示画像を前記表示部に表示させ、前記未入力画像を指定する操作を受け付ける場合、前記入力インターフェースへの前記画像情報の入力の手順を示す手順画像を前記表示部に表示させる。
【図面の簡単な説明】
【０００８】
【図１】第１実施形態における表示装置を含む表示システムを示す概略図である。
【図２】第１実施形態における表示装置を示すブロック図である。
【図３】第１実施形態における表示部が表示する入力状態画像の一例を示す図である。
【図４】第１実施形態における表示部が表示する入力状態画像の一例を示す図である。
【図５】第１実施形態における表示部が表示する入力状態画像の一例を示す図である。
【図６】第１実施形態における表示部が表示する表示画像の一例を示す図である。
【図７】第１実施形態における表示部が表示する手順画像の一例を示す図である。
【図８】第１実施形態における表示部が表示する手順画像の一例を示す図である。
【図９】第１実施形態における表示部が表示する手順画像の一例を示す図である。
【図１０】第１実施形態における表示装置の制御方法を示すフローチャートである。
【図１１】第２実施形態における表示装置の制御方法を示すフローチャートである。
【図１２】第２実施形態における報告画像の一例を示す図である。
【図１３】第３実施形態における表示装置の制御方法を示すフローチャートである。
【図１４】入力状態画像の変形例を示す図である。
【図１５】入力状態画像の変形例を示す図である。
【発明を実施するための形態】
【０００９】
以下、図面を参照して実施の形態を説明する。ただし、各図において、各部の寸法および縮尺は、実際と適宜に異なる。また、以下に述べる実施の形態は、技術的に好ましい種々の限定が付されているが、実施の形態はこれらの形態に限られるものではない。
【００１０】
１．第１実施形態
１Ａ．表示システム１の基本構成
図１は、第１実施形態における表示装置１０を含む表示システム１を示す概略図である。なお、以下では、後述するスクリーンＳＣにおけるｘ軸およびｙ軸を適宜用いて説明する。本実施形態では、スクリーンＳＣの表示面は、長方形である。長辺は、＋ｘ方向に平行であり、短辺は、＋ｙ方向に平行である。なお、表示面は、画像Ｇが表示される面である。本明細書において、画像Ｇとは、図形および写真の他、文字のみも含む。
【００１１】
図１に示す表示システム１は、プロジェクションシステムである。表示システム１は、表示装置１０と、端末装置１００と、を有する。表示装置１０は、例えばプロジェクターである。端末装置１００は、表示装置１０に各種指示を与えるための装置である。具体的には、端末装置１００は、例えばリモートコントローラーである。端末装置１００は、利用者に表示装置１０の各種設定を行わせるための複数の操作子を有する。また、端末装置１００は、表示装置１０に通信可能に接続される。端末装置１００と表示装置１０との接続は、無線であっても有線であってもよい。なお、端末装置１００は、例えば、パーソナルコンピューター、スマートフォン、またはタブレット端末等であってもよい。
【００１２】
表示装置１０には、端末装置１００の他に、表示装置１０に対して画像情報を供給する外部装置９０が通信可能に接続される。画像情報は、画像Ｇの電気信号である。外部装置９０と表示装置１０との接続は、無線であっても有線であってもよい。外部装置９０は、例えば、パーソナルコンピューターである。なお、外部装置９０は、スマートフォン、タブレット端末、ＤＶＤ（Digital Versatile Disk）プレイヤー等であってもよい。また、表示装置１０は、複数の外部装置９０と接続可能である。
【００１３】
本実施形態では、表示装置１０は、画像ＧをスクリーンＳＣに投射する。後で詳述するが、画像Ｇとしては、例えば、図３〜図５に示す入力状態画像Ｇｈ、図６に示す表示画像Ｇａ、および図７〜図９に示す手順画像Ｇｂが挙げられる。入力状態画像Ｇｈは、外部装置９０から表示装置１０に画像情報が入力されているか否かを示す画像である。また、入力状態画像Ｇｈは、利用者に表示装置１０の操作を行わせるために用いられるホーム画像としても機能する。表示画像Ｇａは、画像情報に基づいて生成される画像である。手順画像Ｇｂは、外部装置９０から表示装置１０への画像情報の入力の手順を示す画像である。また、画像Ｇは、静止画であってもよいし、動画でもよい。また、各種のスクリーンＳＣの設置箇所としては、例えば、壁、床、テーブル、天井、または専用設置台等が挙げられる。また、表示装置１０は、音を出力するスピーカーを備える。
【００１４】
図１に示す表示装置１０の利用者は、画像Ｇを見ながら端末装置１００の操作子を操作することにより、表示装置１０の各種設定を行うことができる。複数の操作子のそれぞれは、例えば押圧センサー付きのボタンである。端末装置１００は、表示装置１０の電源をオンまたはオフする電源ボタン、画像Ｇが有する各種項目を選択する十字キー、および選択を確定させる確定ボタン等を有する。例えば、入力状態画像Ｇｈを介して端末装置１００を操作することにより、利用者は、入力状態画像Ｇｈから、表示画像Ｇａまたは手順画像Ｇｂに表示を切り換える設定を行うことができる。表示装置１０のその他の各種設定としては、例えば明るさ、コントラストおよび色の濃さ等の画質設定、入力解像度の設定、アスペクト比の設定、表示位置の設定、幾何学歪み補正の設定、およびズームの設定等が挙げられる。
【００１５】
１Ｂ．表示装置１０の構成
図２は、第１実施形態における表示装置１０を示すブロック図である。図２に示すように、表示装置１０は、Ｉ／Ｆ（Interface）部２０、画像処理部３０、表示部４０、記憶部５０、および制御部６０を有する。
【００１６】
１Ｂ−１．Ｉ／Ｆ部２０
Ｉ／Ｆ部２０は、入力インターフェース２１−１、２１−２、２１−３、２１−４、２１−５、２１−６、２１−７および２１−８と、端末通信部２２と、を備える。なお、以下では、入力インターフェース２１−１〜２１−８を区別しない場合、「入力インターフェース２１」と記載する。複数の入力インターフェース２１のそれぞれは、対応する外部装置９０に通信可能に接続される。複数の入力インターフェース２１のそれぞれには、対応する外部装置９０から画像情報が入力される。画像情報は、画像処理部３０に入力されるか、記憶部５０に記憶される。なお、図２では、入力インターフェース２１−１〜２１−８のうち入力インターフェース２１−２のみに外部装置９０が接続される場合が図示される。また、本実施形態では、入力インターフェース２１の数は、８であるが、入力インターフェースの数は、１〜７でもよいし、９以上でもよい。
【００１７】
入力インターフェース２１は、例えば、入力端子、およびＡＤ変換器等を含む入力回路を有する。具体的には例えば、入力インターフェース２１としては、D-subminiature端子を含むインターフェース、ＨＤＭＩ（High-Definition Multimedia Interface）端子を含むインターフェース、ＵＳＢ端子を含むインターフェース、ＨＤＢａｓｅＴ端子を含むインターフェース、およびＬＡＮ（Local Area Network）端子を含むインターフェース等が挙げられる。また、入力インターフェース２１は、例えば、Ｗｉ−ＦｉおよびＢｌｕｅｔｏｏｔｈ等の無線通信インターフェースであってもよい。なお、ＨＤＭＩ、Ｗｉ−ＦｉおよびＢｌｕｅｔｏｏｔｈは、それぞれ、登録商標である。また、入力インターフェース２１−１〜２１−８の規格は、互いに同一であってもよく、異なっていてもよい。
【００１８】
詳細な図示はしないが、本実施形態では、入力インターフェース２１−１、２１−２および２１−３は、ＨＤＭＩ端子を含むインターフェースである。入力インターフェース２１−４は、D-subminiature端子を含むインターフェースである。入力インターフェース２１−５は、ScreenMirroringを実行するための無線ＨＤＭＩ端子を含むインターフェースである。入力インターフェース２１−６は、Ｗｉ−Ｆｉの無線通信インターフェースである。入力インターフェース２１−７は、ＵＳＢ端子を含むインターフェースである。入力インターフェース２１−８は、ＨＤＢａｓｅＴ端子を含むインターフェースである。なお、これら入力インターフェース２１−１〜２１−８の具体例は一例であって、これらに限定されない。
【００１９】
端末通信部２２は、端末装置１００に通信可能に接続される。端末通信部２２は、端末装置１００の操作を受け付ける。端末通信部２２は、例えば赤外線通信を用いて端末装置１００と接続するためのインターフェースである。また、端末通信部２２は、例えば、Ｗｉ−ＦｉおよびはＢｌｕｅｔｏｏｔｈ等の無線通信インターフェースでもよい。なお、操作子を表示装置１０に設ける場合、端末通信部２２は省略可能である。また、前述の複数の入力インターフェース２１のうちの１個が、端末通信部２２として用いられてもよい。この場合、端末通信部２２は省略可能である。
【００２０】
１Ｂ−２．画像処理部３０
画像処理部３０は、入力インターフェース２１から与えられる画像情報、または記憶部５０に記憶されている画像情報に各種画像処理を行って、画像処理が行われた画像情報を表示部４０に入力する。画像処理部３０は、例えば、フレームメモリーを有する。画像処理部３０は、画像情報を当該フレームメモリーに展開し、解像度変換処理、リサイズ処理、歪み補正処理等の各種画像処理を適宜施す。
【００２１】
１Ｂ−３．表示部４０
表示部４０は、画像処理された画像情報に基づいて、画像光を生成し、当該画像光をスクリーンＳＣに投射して画像Ｇを表示する投影装置である。表示部４０は、光源４１、光変調装置４２、および投射光学系４３を有する。
【００２２】
光源４１は、例えば、ハロゲンランプ、キセノンランプ、超高圧水銀ランプ、ＬＥＤ（Light Emitting Diode）、またはレーザー光源等を含む。光源４１は、例えば、赤色、緑色、および青色の光をそれぞれ出射するか、または、白色の光を出射する。光源４１が白色の光を出射する場合、光源４１から出射される光は、図示しないインテグレーター光学系によって輝度分布のばらつきが低減され、その後、図示しない色分離光学系によって赤色、緑色および青色の光に分離されて光変調装置４２に入射する。光変調装置４２は、当該赤色、緑色および青色に対応して設けられる３つの光変調素子を含む。当該３つの光変調素子は、それぞれ、例えば、透過型の液晶パネル、反射型の液晶パネル、またはＤＭＤ（デジタルミラーデバイス）等を含んで構成される。３つの光変調素子は、赤色、緑色および青色の光をそれぞれ変調して各色の画像光を生成する。光変調装置４２で生成される各色の画像光は、図示しない色合成光学系によって合成され、フルカラーの画像光となる。投射光学系４３は、当該フルカラーの画像光をスクリーンＳＣ上に結像させて投射させる。投射光学系４３は、少なくとも１つの投射レンズを含む光学系である。投射光学系４３は、ズームレンズ、およびフォーカスレンズ等を含んでもよい。
【００２３】
１Ｂ−４．記憶部５０
記憶部５０は、制御部６０が実行する制御プログラムＰ１を記憶する記憶装置である。また、記憶部５０は、入力状態画像情報Ｄｈ、８個の手順画像情報Ｄｂ−１、Ｄｂ−２…Ｄｂ−８、および８個の未入力画像情報Ｄｕ−１、Ｄｕ−２…Ｄｕ−８を記憶する。入力状態画像情報Ｄｈは、入力状態画像Ｇｈを生成するためのデータである。また、１個の手順画像情報Ｄｂは、１個の入力インターフェース２１に対応している。手順画像情報Ｄｂ−１、Ｄｂ−２…Ｄｂ−８のそれぞれは、対応する手順画像Ｇｂを生成するためのデータである。また、１個の未入力画像情報Ｄｕは、１個の入力インターフェース２１に対応している。未入力画像情報Ｄｕ−１、Ｄｕ−２…Ｄｕ−８のそれぞれは、対応する未入力画像Ｇｕを生成するためのデータである。未入力画像Ｇｕは、入力インターフェース２１に画像情報が入力済みで無いことを示す画像である。未入力画像Ｇｕは、入力状態画像Ｇｈに含まれる。なお、未入力画像Ｇｕについては、後で詳述する。
【００２４】
なお、手順画像情報Ｄｂ−１、Ｄｂ−２…Ｄｂ−８を区別しない場合は、「手順画像情報Ｄｂ」と記載する。未入力画像情報Ｄｕ−１、Ｄｕ−２…Ｄｕ−８を区別しない場合は、「未入力画像情報Ｄｕ」と記載する。未入力画像情報Ｄｕの数と、入力インターフェース２１の数は同じである。１個の未入力画像情報Ｄｕは、１個の入力インターフェース２１に対応している。
【００２５】
記憶部５０は、揮発性記憶部と、不揮発性記憶部とを含む。揮発性記憶部とは、電力が供給されないと、記憶している情報を保持できない記憶装置のことをいう。不揮発性記憶部の一例としては、ハードディスクが挙げられる。不揮発性記憶部とは、電力が供給されなくても、記憶している情報を保持できる記憶装置のことをいう。また、揮発性記憶部の一例としては、ＲＡＭ（Random Access Memory）が挙げられる。揮発性記憶部は、制御部６０により処理される情報を記憶するワークエリア、および制御プログラムＰ１を実行する際のワークエリアとして用いられる。なお、記憶部５０の一部または全部は、表示装置１０の外部の記憶装置またはサーバー等に設けられてもよい。
【００２６】
１Ｂ−５．制御部６０
制御部６０は、表示装置１０の各部を制御する機能、および各種情報を処理する機能を有する処理装置である。制御部６０は、例えば、ＣＰＵ（Central Processing Unit）等のプロセッサーを含む。制御部６０は、制御プログラムＰ１を記憶部５０から読み出して実行することによって、後述する機能部を含む各種機能を実現する。なお、制御部６０は、単一のプロセッサーで構成されてもよいし、複数のプロセッサーで構成されてもよい。また、制御部６０の機能の一部または全部が、ＤＳＰ（Digital Signal Processor）、ＡＳＩＣ（Application Specific Integrated Circuit）、ＰＬＤ（Programmable Logic Device）、ＦＰＧＡ（Field Programmable Gate Array）等のハードウェアで実現されてもよい。また、制御部６０は、前述の画像処理部３０と一体でもよい。
【００２７】
制御部６０は、制御プログラムＰ１を記憶部５０から読み出して実行することによって、入力判定部６１、特定部６２、および表示制御部６３として機能する。
【００２８】
入力判定部６１は、複数の入力インターフェース２１のそれぞれについて、外部装置９０から画像情報が入力済みであるか否かの入力判定を実行する。入力判定部６１は、複数の入力インターフェース２１のそれぞれについて外部装置９０からの画像情報の入力を監視し、画像情報が未入力の状態から入力の状態に変化したか、または画像情報が入力の状態から未入力の状態に変化したかを判定する。
【００２９】
特定部６２は、入力状態画像Ｇｈを介した利用者による端末装置１００の操作の内容を特定する。特定部６２は、端末通信部２２が受け付けた端末装置１００の操作に応じて、当該操作の内容を特定する。
【００３０】
表示制御部６３は、入力状態画像Ｇｈ、表示画像Ｇａ、および手順画像Ｇｂ等の各種の画像Ｇを表示部４０に表示させる。具体的には、表示制御部６３は、画像情報の入力の有無に応じて、入力状態画像情報Ｄｈを生成または更新する。また、表示制御部６３は、入力状態画像情報Ｄｈを画像処理部３０に画像処理させ、入力状態画像情報Ｄｈに基づいて生成された入力状態画像Ｇｈを表示部４０に表示させる。また、表示制御部６３は、入力インターフェース２１に入力された画像情報を画像処理部３０に画像処理させ、画像情報に基づいて生成された表示画像Ｇａを表示部４０に表示させる。また、表示制御部６３は、入力インターフェース２１に応じた手順画像情報Ｄｂを画像処理部３０に画像処理させ、手順画像情報Ｄｂに基づいて生成された手順画像Ｇｂを表示部４０に表示させる。
【００３１】
１Ｃ．画像Ｇ
１Ｃ−１．入力状態画像Ｇｈ
図３、図４および図５は、それぞれ、第１実施形態における表示部４０が表示する入力状態画像Ｇｈの一例を示す図である。
【００３２】
図３、図４または図５に示す入力状態画像Ｇｈは、外部装置９０から入力インターフェース２１への画像情報の入力が済んでいるか否かを示すために用いられる８個の個別領域Ａ−１〜Ａ−８を有する。なお、個別領域Ａ１〜Ａ８を区別しない場合、「個別領域Ａ」として記載する。個別領域Ａの数と、入力インターフェース２１の数は同じである。１個の個別領域Ａは、１個の入力インターフェース２１に対応している。本実施形態では、個別領域Ａ−１は入力インターフェース２１−１に対応する。個別領域Ａ−２は入力インターフェース２１−２に対応する。個別領域Ａ−３は入力インターフェース２１−３に対応する。個別領域Ａ−４は入力インターフェース２１−４に対応する。個別領域Ａ−５は入力インターフェース２１−５に対応する。個別領域Ａ−６は入力インターフェース２１−６に対応する。個別領域Ａ−７は入力インターフェース２１−７に対応する。個別領域Ａ−８は入力インターフェース２１−８に対応する。
【００３３】
図示では、個別領域Ａは、四角形である。個別領域Ａ１〜Ａ８は、＋ｘ方向および＋ｙ方向に沿って行列状に配置される。なお、個別領域Ａの数、各配置および各形状は、図示の例に限定されず任意である。例えば表示装置１０が入力インターフェース２１を１個のみ有する場合、個別領域Ａは１個でもよい。また、個別領域Ａ−１〜Ａ−８は、図示の例に限定されず任意である。例えば、入力インターフェース２１−１〜２１−８の利用率の高い順に、個別領域Ａ−１〜Ａ−８は配列されてもよい。
【００３４】
図３に示す入力状態画像Ｇｈは、全ての入力インターフェース２１に画像情報が入力されていない状態を示している。そのため、図３に示す複数の個別領域Ａのそれぞれには、入力インターフェース２１に画像情報が入力済みで無いことを示す未入力画像Ｇｕが表示される。未入力画像Ｇｕは、記憶部５０に記憶されている未入力画像情報Ｄｕを基にして生成される。未入力画像Ｇｕは、例えば、入力インターフェース２１に関する内容を簡単に示すアイコンである。具体的には例えば、未入力画像Ｇｕは、入力インターフェース２１の規格名等の名称、外部装置９０が接続された表示装置１０が行う機能、または入力インターフェース２１の外観を示す図形等を含む。
【００３５】
また、未入力画像Ｇｕの表示内容は、入力インターフェース２１ごとに異なる。そのため、未入力画像Ｇｕは、複数の入力インターフェース２１を利用者に識別させるために用いられる識別画像としての機能を有する。特に、前述のように、未入力画像Ｇｕがアイコンであることで、利用者は、複数の入力インターフェース２１を一目で識別することができる。なお、未入力画像Ｇｕは、入力インターフェース２１に画像情報が入力済みで無いことを利用者が認識できればよく、アイコンに限定されない。例えば、未入力画像Ｇｕは、入力済みで無いことを示すメッセージで構成されてもよい。
【００３６】
図４に示す入力状態画像Ｇｈは、入力インターフェース２１−１〜２１−８のうち入力インターフェース２１−１および２１−２に画像情報が入力されている状態を示している。そのため、図４に示す個別領域Ａ−３〜Ａ−８のそれぞれには、図３と同様に、入力インターフェース２１に画像情報が入力済みで無いことを示す未入力画像Ｇｕが表示される。一方、図４に示す個別領域Ａ−１およびＡ−２のそれぞれには、入力インターフェース２１に画像情報が入力済みであることを示す入力画像Ｇｖが表示される。入力画像Ｇｖは、入力インターフェース２１に入力された画像情報を基にして生成される。例えば、図４に示す個別領域Ａ−１には、月と山を被写体とする風景の入力画像Ｇｖが表示される。図４に示す個別領域Ａ−２には、文書および表の入力画像Ｇｖが表示される。
【００３７】
入力画像Ｇｖは、例えば、表示画像Ｇａを縮小して得られるサムネイル画像である。サムネイル画像は、静止画であってもよいし、動画であってもよい。入力インターフェース２１に動画に関する画像情報が入力された場合、動画のサムネイル画像は、例えば、画像情報のフレームレートを低下させることにより生成される。また、動画に関する画像情報が入力された場合でも、サムネイル画像は、当該動画をキャプチャした静止画でもよい。
【００３８】
また、前述のように未入力画像Ｇｕがアイコンであることに対して、入力画像Ｇｖはサムネイル画像である。そのため、利用者は、未入力画像Ｇｕと入力画像Ｇｖとの違いを把握し易い。それゆえ、利用者は、入力画像Ｇｖを視認することにより、入力インターフェース２１に画像情報が入力済みであることを容易に認識することができる。なお、入力画像Ｇｖは、入力インターフェース２１に画像情報が入力済みであることを利用者が認識できればよく、サムネイル画像に限定されない。例えば、入力画像Ｇｖは、入力済みであることを示すメッセージで構成されてもよい。
【００３９】
前述のように、入力状態画像Ｇｈでは、入力インターフェース２１ごとに、入力画像Ｇｖまたは未入力画像Ｇｕが表示される。そのため、利用者は、複数の入力インターフェース２１について、画像情報が入力済みであるか否かを一目で把握することができる。また、利用者は、画像情報が入力済みである入力インターフェース２１の種別を一目で把握することができる。
【００４０】
また、利用者は、複数の個別領域Ａのうちから１個の個別領域Ａを選択することができる。つまり、利用者は、複数の入力インターフェース２１のうちから１個の入力インターフェース２１を選択することができる。例えば、利用者は、端末装置１００が有する十字キーを操作することで、１個の個別領域Ａを選択することができる。
【００４１】
例えば、表示制御部６３は、利用者による端末装置１００の十字キーの操作を受けて、図４に示す入力状態画像Ｇｈから図５に示す入力状態画像Ｇｈに、表示部４０に表示を変更させる。また、入力状態画像Ｇｈにおいて、選択されている個別領域Ａは、選択されていることを利用者に示すため、選択されていない個別領域Ａに対して強調表示される。図４に示す入力状態画像Ｇｈでは、個別領域Ａ−１が強調表示されている。具体的には、個別領域Ａ−１は、相対的に拡大表示されるとともに、白色の枠Ｆ０で囲まれている。なお、個別領域Ａの強調表示は、図示の例に限定されず、例えば背景色を変更する表示でもよい。
【００４２】
１Ｃ−２．表示画像Ｇａ
図６は、第１実施形態における表示画像Ｇａの一例を示す図である。表示制御部６３は、入力状態画像Ｇｈに含まれる入力画像Ｇｖを指定する操作を受けて、当該入力画像Ｇｖに対応する入力インターフェース２１に入力された画像情報に基づく表示画像Ｇａを表示部４０に表示させる。入力画像Ｇｖを指定する操作とは、入力画像Ｇｖの選択を確定させる端末装置１００の操作である。
【００４３】
例えば、図４に示すように個別領域Ａ−１が拡大表示されている入力状態画像Ｇｈの表示中に、利用者による端末装置１００が有する確定ボタンの操作を受けると、個別領域Ａ−１に表示された入力画像Ｇｖの選択が確定される。よって、端末通信部２２は、個別領域Ａ−１に表示された入力画像Ｇｖの指定を受け付ける。当該入力画像Ｇｖの指定を受け付けると、表示制御部６３は、入力インターフェース２１−１に入力された画像情報を基にして、表示部４０に図６に示す表示画像Ｇａを表示させる。本実施形態では、表示制御部６３は、図４に示す入力状態画像Ｇｈから、図６に示す表示画像Ｇａに、表示部４０に表示を変更させる。
【００４４】
１Ｃ−３．手順画像Ｇｂ
図７および図８は、それぞれ第１実施形態における手順画像Ｇｂの一例を示す図である。表示制御部６３は、入力状態画像Ｇｈに含まれる未入力画像Ｇｕを指定する操作を受けて、当該未入力画像Ｇｕに対応する入力インターフェース２１に対応する手順画像Ｇｂを表示部４０に表示させる。未入力画像Ｇｕを指定する操作とは、未入力画像Ｇｕの選択を確定させる端末装置１００の操作である。
【００４５】
例えば、図５に示す個別領域Ａ−３が拡大表示されている入力状態画像Ｇｈの表示中に、利用者による端末装置１００が有する確定ボタンの操作を受けると、個別領域Ａ−３に表示された未入力画像Ｇｕの選択が確定される。つまり、端末通信部２２は、個別領域Ａ−３に表示された未入力画像Ｇｕに対する指定を受け付ける。当該未入力画像Ｇｕの指定を受け付けると、表示制御部６３は、入力インターフェース２１−３に対応する手順画像情報Ｄｂ−３を基にして、表示部４０に例えば図７および図８に示す手順画像Ｇｂを順次表示させる。本実施形態では、表示制御部６３は、図５に示す入力状態画像Ｇｈから、図７および図８に示す手順画像Ｇｂに、表示部４０に表示を変更させる。
【００４６】
図７および図８に示す手順画像Ｇｂは、例えばスライドショー形式である。先に図７に示す手順画像Ｇｂが表示され、その後、図８に示す手順画像Ｇｂが表示される。これら手順画像Ｇｂの表示は、接続方法に関して説明する音声とともに表示されてもよい。図７に示す手順画像Ｇｂには、入力端子の名称と、入力端子の形状と、当該入力端子に接続されるコネクターの形状とが表示される。図８に示す手順画像Ｇｂには、表示装置１０における入力端子近傍の図が表示される。
【００４７】
図９は、それぞれ第１実施形態における手順画像Ｇｂの一例を示す図である。例えば、個別領域Ａ−６が拡大表示されている入力状態画像Ｇｈの表示中に、利用者による端末装置１００が有する確定ボタンの操作を受けると、個別領域Ａ−６に表示された未入力画像Ｇｕの選択が確定される。つまり、端末通信部２２は、個別領域Ａ−６に表示された未入力画像Ｇｕに対する指定を受け付ける。当該未入力画像Ｇｕの指定を受け付けると、表示制御部６３は、入力インターフェース２１−６に対応する手順画像情報Ｄｂ−６を基にして、表示部４０に例えば図９に示す手順画像Ｇｂを表示させる。
【００４８】
図９に示す手順画像Ｇｂは、複数の説明画像Ｇｂ−ｘ、Ｇｂ−ｙおよびＧｂ−ｚを含む。これら説明画像Ｇｂ−ｘ、Ｇｂ−ｙおよびＧｂ−ｚは、この順に拡大表示される。説明画像Ｇｂ−ｘには、入力インターフェース２１−６に接続可能な外部装置９０の図が表示される。説明画像Ｇｂ−ｙおよびＧｂ−ｚのそれぞれには、外部装置９０の操作の手順が表示される。
【００４９】
利用者は、図７〜図９に示すような手順画像Ｇｂを見ることで、入力インターフェース２１への画像情報の入力の手順を簡単に把握することができる。よって、手順画像Ｇｂに従って、外部装置９０を入力インターフェース２１に接続することにより、入力インターフェース２１に画像情報を簡単に入力することができる。
【００５０】
以上のように、表示装置１０は、表示部４０と、入力インターフェース２１と、制御部６０とを有する。制御部６０は、入力判定部６１および表示制御部６３を有する。前述のように、入力判定部６１は、入力インターフェース２１に画像情報が入力済みであるか否かの入力判定を実行する。表示制御部６３は、入力判定の結果に応じて、入力インターフェース２１ごとに、入力画像Ｇｖおよび未入力画像Ｇｕのうちの一方を含む入力状態画像Ｇｈを表示部４０に表示させる。そして、表示制御部６３は、入力画像Ｇｖを指定する操作を受け付ける場合、表示画像Ｇａを表示部４０に表示させる。一方、表示制御部６３は、未入力画像Ｇｕを指定する操作を受け付ける場合、入力インターフェース２１への画像情報の入力の手順を示す手順画像Ｇｂを表示部４０に表示させる。
【００５１】
かかる表示装置１０によれば、入力画像Ｇｖまたは未入力画像Ｇｕを指定する操作を受けた場合、表示画像Ｇａまたは手順画像Ｇｂが表示される。そのため、利用者は、自身のタイミングで、表示画像Ｇａまたは手順画像Ｇｂを表示させることができる。それゆえ、電源がオンされた時およびリセット時に手順画像Ｇｂが表示されるという煩わしさを低減することができる。
【００５２】
また、前述のように、表示制御部６３は、入力画像Ｇｖを指定する操作を受け付ける場合、表示部４０に、入力状態画像Ｇｈの表示から表示画像Ｇａの表示に変更させる。また、表示制御部６３は、未入力画像Ｇｕを指定する操作を受け付ける場合、表示部４０に、入力状態画像Ｇｈの表示から手順画像Ｇｂの表示に変更させる。よって、表示画像Ｇａまたは手順画像Ｇｂは、入力状態画像Ｇｈ上に重ねて表示されない。そのため、入力状態画像Ｇｈのサイズよりも小さいサイズの表示画像Ｇａまたは手順画像Ｇｂが入力状態画像Ｇｈ上に重なって表示される場合に比べ、視認性が低下することを回避することができる。なお、表示画像Ｇａおよび手順画像Ｇｂはそれぞれ入力状態画像Ｇｈに重ねて表示されてもよい。
【００５３】
１Ｄ．表示装置１０の制御方法
図１０は、第１実施形態における表示装置１０の制御方法を示すフローチャートである。表示装置１０の制御方法、特に、制御部６０による表示部４０の制御方法について説明する。
【００５４】
制御部６０は、利用者の端末装置１００の操作により表示装置１０の電源がオンされたことおよびリセットを契機として制御プログラムＰ１を記憶部５０から読み出し、制御プログラムＰ１の実行を開始する。制御部６０は、制御プログラムＰ１に従って図１０に示すフローチャートに示す制御方法を実行する。
【００５５】
まず、ステップＳ１１においては、入力判定部６１は、入力インターフェース２１ごとに、画像情報の入力判定を実行する。入力判定部６１は、複数の入力インターフェース２１のそれぞれについて外部装置９０から画像情報が入力済みであるか否かの入力判定を実行する。
【００５６】
入力判定の結果に応じて、特定部６２は、ステップＳ１２における画像情報の取得か、ステップＳ１３における未入力画像情報Ｄｕの読み出しを実行する。具体的には、入力判定部６１により画像情報が入力済みであると判定された場合、すなわちステップＳ１１のＹｅｓの場合、表示制御部６３は、ステップＳ１２の処理を実行する。ステップＳ１２において、表示制御部６３は、画像情報が入力済みである入力インターフェース２１を特定し、当該画像情報を取得する。一方、入力判定部６１により画像情報が入力済みで無いと判定された場合、すなわちステップＳ１１のＮｏの場合、表示制御部６３は、ステップＳ１３の処理を実行する。ステップＳ１３において、表示制御部６３は、画像情報が入力済みで無い入力インターフェース２１を特定し、当該入力インターフェース２１に対応する未入力画像情報Ｄｕを記憶部５０の不揮発性記憶部から読み出す。
【００５７】
ステップＳ１４において、表示制御部６３は、入力状態画像情報Ｄｈを生成または更新する。具体的には、表示制御部６３は、入力状態画像情報Ｄｈを記憶部５０の不揮発性記憶部から読み出す。その後、表示制御部６３は、入力インターフェース２１ごとに、ステップＳ１２における画像情報またはステップＳ１３における未入力画像情報Ｄｕを参照し、新たな入力状態画像情報Ｄｈを生成または更新する。
【００５８】
例えば、全ての入力インターフェース２１に画像情報が入力済みで無い場合、表示制御部６３は、図３に示す入力状態画像Ｇｈに関する入力状態画像情報Ｄｈを生成する。また、例えば、入力インターフェース２１−１および２１−２のみに画像情報が入力済みである場合、表示制御部６３は、図４に示す入力状態画像Ｇｈに関する入力状態画像情報Ｄｈを生成する。
【００５９】
ステップＳ１６において、表示制御部６３は、ステップＳ１４で生成した入力状態画像情報Ｄｈを画像処理部３０に出力し、入力状態画像情報Ｄｈに基づいて生成された入力状態画像Ｇｈを表示部４０に表示させる。
【００６０】
例えば、全ての入力インターフェース２１に画像情報が入力済みで無い場合、図３に示すように、入力状態画像Ｇｈには、複数の個別領域Ａのそれぞれに未入力画像Ｇｕが表示される。また、例えば、入力インターフェース２１−１および２１−２のみに画像情報が入力済みである場合、図４に示すように、入力状態画像Ｇｈが有する個別領域Ａ−１およびＡ−２のそれぞれには、入力画像Ｇｖが表示される。
【００６１】
ステップＳ１７では、特定部６２は、入力状態画像Ｇｈの表示中、端末通信部２２が入力画像Ｇｖまたは未入力画像Ｇｕを指定する操作を受け付けたか否かを判定する。特定部６２は、入力画像Ｇｖまたは未入力画像Ｇｕを指定する操作を受け付けるまで、すなわちステップＳ１６のＮｏの場合、入力画像Ｇｖまたは未入力画像Ｇｕを指定する操作を受け付けたか否かの判定を繰り返す。一方、特定部６２は、入力画像Ｇｖまたは未入力画像Ｇｕを指定する操作を受け付けた場合、すなわちステップＳ１６のＹｅｓの場合、ステップＳ１７の処理を実行する。
【００６２】
ステップＳ１７において、特定部６２は、端末通信部２２から出力される情報を基にして、指定された入力画像Ｇｖおよび未入力画像Ｇｕに対応する入力インターフェース２１の種別を特定する。ステップＳ１８において、特定部６２は、端末通信部２２から出力される情報を基にして、入力画像Ｇｖおよび未入力画像Ｇｕのいずれを指定する操作が行われたのかを判定する。つまり、特定部６２は、対応する入力インターフェース２１について画像情報が入力済みであるか否かを判定する。
【００６３】
ステップＳ１８において入力画像Ｇｖが指定されたと判定された場合、すなわちステップＳ１８のＹｅｓの場合、表示制御部６３は、ステップＳ１９の処理を実行する。ステップＳ１９では、表示制御部６３は、画像処理部３０に画像情報を出力し、画像情報を基にして生成された表示画像Ｇａを表示部４０に表示させる。例えば、図４に示す入力状態画像Ｇｈにおいて、個別領域Ａ−１に表示される入力画像Ｇｖが指定されると、図６に示す表示画像Ｇａを表示部４０は表示する。
【００６４】
ステップＳ１８において未入力画像Ｇｕが指定されたと判定された場合、すなわちステップＳ１８のＮｏの場合、表示制御部６３は、ステップＳ２０の処理を実行する。ステップＳ２０では、表示制御部６３は、手順画像情報Ｄｂを記憶部５０の不揮発性記憶部から読み出し、画像処理部３０に手順画像情報Ｄｂを出力し、手順画像情報Ｄｂを基にして生成された手順画像Ｇｂを表示部４０に表示させる。例えば、図５に示す入力状態画像Ｇｈにおいて、個別領域Ａ−３に表示される入力画像Ｇｖが指定されると、図７に示す手順画像Ｇｂおよび図８に示す手順画像Ｇｂを表示部４０は順次表示する。
【００６５】
ステップＳ２１において、特定部６２は、入力インターフェース２１−３に画像情報が入力されたか否かを判定する。特定部６２は、入力インターフェース２１−３に画像情報が入力されていない場合、すなわちステップＳ２１のＮｏの場合、入力インターフェース２１−３に画像情報が入力されたか否かの判定を繰り返す。一方、入力インターフェース２１−３に画像情報が入力された場合、すなわちステップＳ２１のＹｅｓの場合、表示制御部６３はステップＳ１９の処理を実行する。図７または図８に示す手順画像Ｇｂの表示中において、入力インターフェース２１−３に画像情報が入力されると、表示制御部６３は、入力インターフェース２１−３に入力された画像情報を基にして表示画像Ｇａを表示部４０に表示させる。
【００６６】
以上のように、表示装置１０の制御方法は、ステップＳ１１における画像情報の入力判定の実行と、ステップＳ１５における入力状態画像Ｇｈの表示と、ステップＳ１９における表示画像Ｇａの表示と、ステップＳ２０における手順画像Ｇｂの表示とを含む。前述のように、ステップＳ１１において、入力判定部６１が、入力インターフェース２１ごとに、画像情報が入力済みであるか否かの入力判定を実行する。ステップＳ１３において、表示制御部６３は、入力判定の結果に応じて、入力インターフェース２１ごとに入力画像Ｇｖおよび未入力画像Ｇｕのうちの一方を含む入力状態画像Ｇｈを表示部４０に表示させる。そして、入力画像Ｇｖを含む入力状態画像Ｇｈが表示された状態で入力画像Ｇｖに対する操作を受け付けたと判定された場合、表示制御部６３は、表示画像Ｇａを表示部４０に表示させる。一方、未入力画像Ｇｕを含む入力状態画像Ｇｈが表示された状態で未入力画像Ｇｕに対する操作を受け付けたと判定された場合、表示制御部６３は、手順画像Ｇｂを表示部４０に表示させる。
【００６７】
入力状態画像Ｇｈを介した表示装置１０に対する端末装置１００の操作により、利用者は、スクリーンＳＣに表示画像Ｇａまたは手順画像Ｇｂを表示させるか否かを指定することができる。そのため、利用者は、自身のタイミングで表示画像Ｇａまたは手順画像Ｇｂを表示させることができる。それゆえ、起動時およびリセット時に手順画像Ｇｂが表示されるという煩わしさを低減することができる。また、入力インターフェース２１に画像情報が入力されている場合、起動時およびリセット時に当該画像情報に基づく表示画像Ｇａが意図せずに表示されることが回避される。
【００６８】
また、前述のように、手順画像Ｇｂの表示中に入力インターフェース２１に画像情報が入力されると、表示制御部６３は、当該手順画像Ｇｂの表示を停止し、表示画像Ｇａを表示部４０に表示させる。つまり、利用者は、手順画像Ｇｂを見ながら入力インターフェース２１の画像情報が入力されたら、当該画像情報に基づく表示画像Ｇａを直ぐに見ることができる。それゆえ、利用者は、自身のタイミングで手順画像Ｇｂを用いた入力インターフェース２１に画像情報を入力する作業を行うことで、表示画像Ｇａを見始めることができる。
【００６９】
また、前述のように、入力画像Ｇｖは、表示画像Ｇａを縮小して表示されるサムネイル画像である。そのため、利用者は、サムネイル画像を見ることで、入力インターフェース２１に外部装置９０が接続されていることに加え、入力インターフェース２１に接続された外部装置９０の画像情報の内容を一目で把握することができる。それゆえ、当該画像情報に基づく表示画像Ｇａを見たい場合、所望の入力画像Ｇｖに対する操作を行うことで、利用者は自身のタイミングで所望の表示画像Ｇａを見始めることができる。
【００７０】
また、前述のように、表示装置１０は複数の入力インターフェース２１を有する。また、表示制御部６３は、複数の入力インターフェース２１のそれぞれについての入力判定に応じて、入力インターフェース２１ごとに入力画像Ｇｖおよび未入力画像Ｇｕのうちの一方を含む入力状態画像Ｇｈを表示部４０に表示させる。また、表示制御部６３は、いずれかの入力インターフェース２１に対応する入力画像Ｇｖを指定する操作を受け付ける場合、この操作に応じて、受け付けた入力画像Ｇｖに対応する表示画像Ｇａを表示部４０に表示させる。一方、表示制御部６３は、いずれかの入力インターフェース２１に対応する未入力画像Ｇｕを指定する操作を受け付ける場合、この操作に応じて、受け付けた未入力画像Ｇｕに対応する手順画像Ｇｂを表示部４０に表示させる。
【００７１】
入力インターフェース２１ごとに画像情報が入力済みであるか否かを示す入力状態画像Ｇｈが表示されることで、利用者は、複数の入力インターフェース２１のそれぞれに画像情報が入力済みであるか否かを一目で把握することができる。また、利用者は、複数の入力インターフェース２１のうちのいずれかに対応する入力画像Ｇｖまたは未入力画像Ｇｕを指定する操作を行うことで、自身のタイミングで所望の表示画像Ｇａまたは手順画像Ｇｂを見始めることができる。
【００７２】
例えば、入力インターフェース２１−１および２１−２の２個に着目した場合を想定する。この場合、入力判定部６１は、入力インターフェース２１−１に画像情報が入力済みであるか否かを判定する入力判定、および入力インターフェース２１−２に画像情報が入力済みであるか否かを判定する入力判定を実行する。入力インターフェース２１−１が例えば「第１入力インターフェース」に相当し、入力インターフェース２１−２が例えば「第２入力インターフェース」に相当する。この場合、入力インターフェース２１−１に入力された画像情報が「第１画像情報」に相当し、入力インターフェース２１−２に入力された画像情報が、「第２画像情報」に相当する。また、入力インターフェース２１−１の入力判定が「第１入力判定」に相当し、入力インターフェース２１−２の入力判定が「第２入力判定」に相当する。
【００７３】
表示制御部６３は、第１入力判定および第２入力判定の結果に応じて、入力インターフェース２１−１に対応する入力画像Ｇｖおよび未入力画像Ｇｕのうちの一方と、入力インターフェース２１−２に対応する入力画像Ｇｖおよび未入力画像Ｇｕのうちの一方とを含む入力状態画像Ｇｈを表示部４０に表示させる。入力インターフェース２１−１に対応する入力画像Ｇｖが「第１入力画像」に相当し、入力インターフェース２１−１に対応する未入力画像Ｇｕが「第１未入力画像」に相当する。入力インターフェース２１−２に対応する入力画像Ｇｖが「第２入力画像」に相当し、入力インターフェース２１−２に対応する未入力画像Ｇｕが「第２未入力画像」に相当する。
【００７４】
また、表示制御部６３は、入力インターフェース２１−１に対応する入力画像Ｇｖ、および入力インターフェース２１−２に対応する入力画像Ｇｖのうちの一方に対する指示を受け付けると、指示に応じて、入力インターフェース２１−１または２１−２に入力された画像情報に基づく表示画像Ｇａを表示部４０に表示させる。一方、表示制御部６３は、入力インターフェース２１−１に対応する未入力画像Ｇｕ、および入力インターフェース２１−２に対応する未入力画像Ｇｕのうちの一方に対する指示を受け付けると、指示に応じて、入力インターフェース２１−１または２１−２に対応する手順画像Ｇｂを表示部４０に表示させる。入力インターフェース２１−１に対応する表示画像Ｇａが「第１表示画像」に相当し、入力インターフェース２１−２に対応する表示画像Ｇａが「第２表示画像」に相当する。また、入力インターフェース２１−１に対応する手順画像Ｇｂが「第１手順画像」に相当し、入力インターフェース２１−２に対応する手順画像Ｇｂが「第２手順画像」に相当する。
【００７５】
２個の入力インターフェース２１−１および２１−２のそれぞれに画像情報が入力済みであるか否かを示す入力状態画像Ｇｈが表示されることで、利用者は、２個の入力インターフェース２１−１および２１−２のそれぞれに画像情報が入力済みであるか否かを一目で把握することができる。また、利用者は、２個の入力インターフェース２１のうちのいずれかに対応する入力画像Ｇｖまたは未入力画像Ｇｕを指定する操作を行うことで、自身のタイミングで２個の入力インターフェース２１のいずれかに対応する表示画像Ｇａまたは手順画像Ｇｂを見始めることができる。
【００７６】
なお、「第１入力インターフェース」は入力インターフェース２１−１に限定されず、入力インターフェース２１−２〜２１−８のいずれであってもよい。「第２入力インターフェース」は、「第１入力インターフェース」以外の入力インターフェース２１であればよい。よって、「第２入力インターフェース」は、入力インターフェース２１−２に限定されず、入力インターフェース２１−１、２１−３〜２１−８のいずれであってもよい。
【００７７】
２．第２実施形態
次に、本発明の第２実施形態について説明する。図１１は、第２実施形態における表示装置１０の制御方法を示すフローチャートである。図１２は、第２実施形態における報告画像Ｇｄの一例を示す図である。本実施形態は、ステップＳ２２およびＳ２３を有することが第１実施形態と異なる。なお、第２実施形態において第１実施形態と同様の事項については、第１実施形態の説明で使用した符号を流用して各々の詳細な説明が適宜省略される。
【００７８】
図１１に示すように、ステップＳ２１では、手順画像Ｇｂの表示中、入力インターフェース２１に画像情報が入力されると、表示制御部６３は、ステップＳ２２の処理を実行する。ステップＳ２２において、表示制御部６３は、図１２に示すような報告画像Ｇｄを表示する。当該報告画像Ｇｄは、入力インターフェース２１に画像情報が入力済みであることを示すメッセージを含む。報告画像Ｇｄは、例えば手順画像Ｇｂ上にポップアップ表示される。かかる報告画像Ｇｄを利用者が見ることで、入力インターフェース２１に画像情報が入力されたことを把握できる。
【００７９】
また、特定部６２が利用者の端末装置１００による報告画像Ｇｄに対する指定を受け付けた場合、すなわちステップＳ２３のＹｅｓの場合、表示制御部６３は、ステップＳ１９の処理を実行する。ステップＳ１９では、表示制御部６３は、画像情報に基づく表示画像Ｇａを表示部４０に表示させる。このように、利用者は、報告画像Ｇｄに対する操作を行うことで所望の表示画像Ｇａを見始めることができる。
【００８０】
なお、ステップＳ２２のＮｏの場合、特定部６２が利用者の端末装置１００による報告画像Ｇｄに対する指定を受け付けたか否かの判定を繰り返す。ただし、ステップＳ２２のＮｏの場合、例えば、所定時間経過しても、特定部６２が当該指定を受けなかった場合、入力状態画像Ｇｈが表示されてもよい。当該入力状態画像Ｇｈでは、新たに画像情報が入力された入力インターフェース２１に対応する入力画像Ｇｖが表示される。
【００８１】
３．第３実施形態
次に、本発明の第３実施形態について説明する。図１３は、第３実施形態における表示装置１０の制御方法を示すフローチャートである。本実施形態は、ステップＳ２４を有することが第１実施形態と異なる。なお、第３実施形態において第１実施形態と同様の事項については、第１実施形態の説明で使用した符号を流用して各々の詳細な説明が適宜省略される。
【００８２】
図１３に示すように、ステップＳ２１において、手順画像Ｇｂの表示中、入力インターフェース２１に画像情報が入力されると、表示制御部６３は、ステップＳ２４の処理を実行する。ステップＳ２４において、表示制御部６３は、新たな入力状態画像情報Ｄｈを生成または更新する。新たな入力状態画像情報Ｄｈは、ステップＳ２１において、入力インターフェース２１に新たに入力された画像情報を基にして生成された入力画像Ｇｖの情報を含む。そして、ステップＳ１５において、表示制御部６３は、新たな入力状態画像情報Ｄｈを画像処理部３０に入力し、新たな入力状態画像情報Ｄｈを基にして生成された新たな入力状態画像Ｇｈを表示部４０に表示させる。つまり、ステップＳ２１において画像情報が入力された入力インターフェース２１に対応する個別領域Ａの表示が、未入力画像Ｇｕから入力画像Ｇｖに変更される。
【００８３】
本実施形態では、手順画像Ｇｂの表示中に、入力インターフェース２１に画像情報が入力された場合、新たな入力状態画像Ｇｈが表示される。そのため、利用者は、新たな入力状態画像Ｇｈを用いて自身のタイミングで所望の表示画像Ｇａを見始めることができる。
【００８４】
なお、ステップＳ２１とステップＳ２４との間に、第２実施形態における報告画像Ｇｄが表示されてもよい。この場合の報告画像Ｇｄは、利用者による操作を受け付けず、画像情報が入力されたことを利用者に知らせるメッセージとして機能してもよい。この場合、表示制御部６３は、表示部４０に、報告画像Ｇｄを所定時間表示させ、その後、新たな入力状態画像Ｇｈを表示させてもよい。
【００８５】
４．変形例
以上に例示した各形態は多様に変形され得る。前述の各形態に適用され得る具体的な変形の態様を以下に例示する。以下の例示から任意に選択された２以上の態様は、相互に矛盾しない範囲で適宜に併合され得る。
【００８６】
４−１．第１変形例
入力状態画像Ｇｈは、複数のページで構成されてもよい。図１４および図１５は、それぞれ入力状態画像Ｇｈの変形例を示す図である。例えば、図１４に示す第１ページ画像Ｇｈ１および図１５に示す第２ページ画像Ｇｈ２を含む。入力状態画像Ｇｈは、例えば１６個の入力インターフェース２１を表示装置１０は備える。それゆえ、入力状態画像Ｇｈには、１６個の個別領域Ａ−１〜Ａ−１６が表示される。例えば、第１ページ画像Ｇｈ１には、個別領域Ａ−１〜Ａ−８が表示され、第２ページ画像Ｇｈ２には、個別領域Ａ−９〜Ａ−１６が表示される。図１４および図１５に示す入力状態画像Ｇｈによれば、個別領域Ａの数の増加に応じて個別領域Ａのサイズを小さくするしなくて済む。そのため、入力状態画像Ｇｈの視認性が低下することを回避することができる。なお、表示制御部６３は、利用者による端末装置１００が有する十字キーの操作に応じて、第１ページ画像Ｇｈ１から第２ページ画像Ｇｈ２に、表示部４０に表示を変更させる。例えば、表示制御部６３は、第１ページ画像Ｇｈ１に表示される矢印の記号Ｇｈｘ、および第２ページ画像Ｇｈ２に表示される矢印の記号Ｇｈｙを介した端末装置１００の操作に応じて、第１ページ画像Ｇｈ１または第２ページ画像Ｇｈ２を表示部４０に表示させる。
【００８７】
４−２．第２変形例
前述の各実施形態は、プロジェクターへの本発明の適用例であるが、携帯型ゲーム機又はスマートフォン、タブレット型端末等の携帯型情報端末、テレビジョン受像機、またはカーナビケーション装置等、表示部４０として液晶ディスプレイを有する装置に本発明を適用してもよい。
【００８８】
４−３．第３変形例
前述の各実施形態における入力判定部６１、特定部６２、および表示制御部６３は、ソフトウェアである制御プログラムＰ１に従ってコンピューターが実現するソフトウェアモジュールであった。しかし、入力判定部６１、特定部６２、および表示制御部６３をＡＳＩＣ等のハードウェアで実現し、これらハードウェアと、Ｉ／Ｆ部２０と、画像処理部３０と、表示部４０と、記憶部５０とを組み合わせて表示装置１０が構成されてもよい。
【００８９】
４−４．第４変形例
前述の各実施形態では、制御部６０を、入力判定部６１、特定部６２、および表示制御部６３と、して機能させる制御プログラムＰ１が記憶部５０に予め記憶されていた。しかし、一般的なコンピューターを、入力判定部６１、特定部６２、および表示制御部６３として機能させるプログラムを単体で製造し、配布してもよい。従来の表示装置のコンピューターを当該プログラムに従って作動させることで、従来の表示装置を表示装置１０として機能させることが可能になるからである。なお、前記のプログラムの具体的な配布方法としては、フラッシュＲＯＭ（Read Only Memory）等のコンピューター読み取り可能な記録媒体に前述のプログラムを書き込んで配布する態様、またはインターネット等の電気通信回線経由のダウンロードにより配布する態様が考えられる。
【００９０】
４−５．第５変形例
前述の各実施形態において入力状態画像Ｇｈは、全ての入力インターフェース２１について画像情報が入力済みであるか否かを表示した。しかし、入力状態画像Ｇｈは、全ての入力インターフェース２１の画像情報が入力済みであるか否かを表示しなくてもよい。全ての入力インターフェース２１のうちの幾つかの入力インターフェース２１のみについて、画像情報が入力済みであるか否かが表示されてもよい。
【符号の説明】
【００９１】
１…表示システム、１０…表示装置、２０…Ｉ／Ｆ部、２１…入力インターフェース、２２…端末通信部、３０…画像処理部、４０…表示部、４１…光源、４２…光変調装置、４３…投射光学系、５０…記憶部、６０…制御部、６１…入力判定部、６２…特定部、６３…表示制御部、９０…外部装置、１００…端末装置、Ａ…個別領域、Ｄｂ…手順画像情報、Ｄｈ…入力状態画像情報、Ｄｕ…未入力画像情報、Ｆ０…枠、Ｇ…画像、Ｇａ…表示画像、Ｇｂ…手順画像、Ｇｄ…報告画像、Ｇｈ…入力状態画像、Ｇｈ１…第１ページ画像、Ｇｈ２…第２ページ画像、Ｇｕ…未入力画像、Ｇｖ…入力画像、Ｐ１…制御プログラム、ＳＣ…スクリーン。
【図１】
2020201372.tif 000003
【図２】
2020201372.tif 000004
【図３】
2020201372.tif 000005
【図４】
2020201372.tif 000006
【図５】
2020201372.tif 000007
【図６】
2020201372.tif 000008
【図７】
2020201372.tif 000009
【図８】
2020201372.tif 000010
【図９】
2020201372.tif 000011
【図１０】
2020201372.tif 000012
【図１１】
2020201372.tif 000013
【図１２】
2020201372.tif 000014
【図１３】
2020201372.tif 000015
【図１４】
2020201372.tif 000016
【図１５】
2020201372.tif 000017